(57)【要約】【課題】  外部アクセス部へのアクセス性を向上させる自動分析装置の提供にある。【解決手段】  当該装置の上部に配置された、操作画面を備えたタッチパネル式のディスプレイと、前記ディスプレイを収容するディスプレイ収容部と、前記ディスプレイの側面に配置された、記憶媒体を収納する記憶媒体収納部または外部と電気接続するコネクタ接続部のいずれかを含む外部アクセス部と、をさらに備え、前記ディスプレイは、前記ディスプレイ収容部から外すことができ、前記ディスプレイが前記ディスプレイ収容部から外された状態で、前記外部アクセス部が外部に露出する。【選択図】  図３
2014211401.tif 000002
【特許請求の範囲】
【請求項１】
検体容器を搬送する検体容器架設機構と、試薬容器を設置する試薬ディスク機構検体と、検体と試薬を反応させる反応セルと、該反応セルを一定数配置した反応ディスクと、検体を分注するためのプローブ機構と、を備えた自動分析装置において、
当該装置の上部に配置された、操作画面を備えたタッチパネル式のディスプレイと、
前記ディスプレイを収容するディスプレイ収容部と、
前記ディスプレイの側面に配置された、記憶媒体を収納する記憶媒体収納部または外部と電気接続するコネクタ接続部のいずれかを含む外部アクセス部と、をさらに備え、
前記ディスプレイは、前記ディスプレイ収容部から外すことができ、
前記ディスプレイが前記ディスプレイ収容部から外された状態で、前記外部アクセス部が外部に露出することを特徴とする自動分析装置。
【請求項２】
請求項１記載の自動分析装置において、
前記ディスプレイが前記ディスプレイ収容部に収容された状態で、前記側面は前記ディスプレイ収容部に覆われ、かつ、水平から一定の角度傾斜した状態となることを特徴とする自動分析装置。
【請求項３】
請求項１記載の自動分析装置において、
前記ディスプレイは水平から任意の角度となるよう、前記ディスプレイの取っ手部と反対側に支点軸を有することを特徴とする自動分析装置。
【請求項４】
請求項１記載の自動分析装置において、
前記ディスプレイ収容部は、水平から一定の角度傾斜した面を備え、前記ディスプレイが収容された状態で、当該面と前記ディスプレイ表面とで、略同一面を構成することを特徴とする自動分析装置。
【請求項５】
請求項１記載の自動分析装置において、
前記ディスプレイが前記ディスプレイ収容部に収容された状態で、前記ディスプレイの外枠は、前記ディスプレイ収容部の内枠に対し、前記外枠が上となって重なることを特徴とする自動分析装置。
【請求項６】
請求項1記載の自動分析装置において、
前記ディスプレイ収容部から前記ディスプレイが離れたことを検知する検知器と、をさらに備え、
前記外部アクセス部は、前記記憶媒体収納部であって、
前記検知器が当該離れたことを検知し、前記記憶媒体の取り出し実行有無の確認画面が前記ディスプレイに表示されることを特徴とする自動分析装置。
【発明の詳細な説明】
【技術分野】
【０００１】
本発明は、血液、尿等の生体試料中の成分を分析する自動分析装置に関する。
【背景技術】
【０００２】
臨床検査用の自動分析装置では、装置を操作するための入力画面を有する操作部と分析を行うための分析部を備えていることが基本的な構成となる。例えば、入力画面を備えた自動分析装置が特許文献１に開示されている。また、大型の装置においては操作部と分析部が別に設置されているものが多く、小型の装置においては操作部と分析部が一体になっているものが多い。
【先行技術文献】
【特許文献】
【０００３】
【特許文献１】特開２０００−２５８４２１号公報
【発明の概要】
【発明が解決しようとする課題】
【０００４】
操作部一体型の装置、特に操作部（ディスプレイ）を装置内に収容する構成の装置においては、画面以外の箇所へのアクセス性が悪くなる。また、操作部を分析装置上面に設置する場合、操作部は一定の大きさを有するため、併せて装置全体の占有面積も大きくなる。
【課題を解決するための手段】
【０００５】
本発明では上記の課題を解決するために、ディスプレイを装置内から外せる構造を実現することにより、画面以外の箇所へのアクセス性を改善する。また、装置に設置するディスプレイの設置方法を平面から傾けることによって、装置の占有面積の増大を抑える。
【０００６】
本発明は、検体容器を搬送する検体容器架設機構と、試薬容器を設置する試薬ディスク機構検体と、検体と試薬を反応させる反応セルと、該反応セルを一定数配置した反応ディスクと、検体を分注するためのプローブ機構と、を備えた自動分析装置において、当該装置の上部に配置された、操作画面を備えたタッチパネル式のディスプレイと、前記ディスプレイを収容するディスプレイ収容部と、前記ディスプレイの側面に配置された、記憶媒体を収納する記憶媒体収納部または外部と電気接続するコネクタ接続部のいずれかを含む外部アクセス部と、をさらに備え、前記ディスプレイは、前記ディスプレイ収容部から外すことができ、前記ディスプレイが前記ディスプレイ収容部から外された状態で、前記外部アクセス部が外部に露出する自動分析装置である。
【発明の効果】
【０００７】
本発明の自動分析装置は、操作画面以外の箇所へのアクセス性の向上を実現することができる。アクセス性の向上により、作業効率の向上に繋がる。また、ディスプレイを傾けて設置することで省スペース化が実現できる。
【図面の簡単な説明】
【０００８】
【図１】自動分析装置の全体図である。
【図２】自動分析装置の要部斜視図である。
【図３】自動分析装置の要部斜視図である。
【図４】自動分析装置の要部側面図である。
【図５】自動分析装置の要部側面図である。
【発明を実施するための形態】
【０００９】
本発明の実施形態に係る実施例に関し、図１〜５を用いて説明する。
【００１０】
これまでの操作部と分析部が一体となっている装置においては、検査室のネットワークから独立して運用されているケースが少なくない。そのため、装置内に測定結果を操作部のハードディスクもしくは記憶媒体などに蓄積し、必要に応じて外部記憶媒体などにデータを保存するなどの対応をしていた。しかしながら、これまでの装置は、記憶媒体へのアクセスに関しては操作部から比較的離れた箇所にあり、一定頻度で記憶媒体にアクセスする場合には、利便性の低いものであった。このため、アクセス性を高めた利便性の高い装置が求められていた。本発明では、このような従来のアクセス性の低さを解消するものである。
【００１１】
以下、本発明の実施の形態を図面に基づいて詳細に説明する。なお、本実施の形態を説明するための全図において同一機能を有するものは原則として同一の符号を付すようにし、その繰り返しの説明は可能な限り省略するようにしている。
【００１２】
図１は、本発明の一実施例のベースとなるターンテーブル方式の自動分析装置の全体図である。図１に示すように、自動分析装置は、主に、検体容器架設機構１、反応ディスク２、試薬ディスク３、光度計７、光源２５、およびタッチパネル式のディスプレイ１６から構成されている。ディスプレイ１６には、装置の操作画面を備え、ユーザはディスプレイ１６を介して装置を操作することができる。
【００１３】
反応ディスク２は、間欠回転可能に設けられており、ディスク上に透光性材料からなる多数の反応セル１９が周方向に沿って装着されている。反応セル１９は、恒温槽４により所定温度（例えば３７℃）に維持されている。恒温槽４内の流体は、恒温維持装置２０により温度調整されている。
【００１４】
検体容器架設機構１上には、血液、尿等の生体サンプルを収容する多数の検体容器２１が、図示の例では二重に、周方向に沿って載置されている。また、検体容器架設機構１の近傍には、検体サンプリング機構５が配置されている。この検体サンプリング機構５は、可動アーム２２と、これに取り付けられたプローブ機構２３とから主に構成されている。この構成により、検体サンプリング機構５は、サンプル分注時にはプローブ機構２３が可動アーム２２により分注位置に適宜移動して、検体容器架設機構１の吸入位置に位置する検体容器２１から所定量のサンプルを吸入し、そのサンプルを反応ディスク２上の吐出位置にある反応セル１９内に吐出する。
【００１５】
試薬ディスク３には、複数の試薬容器２４が試薬ディスク３の周方向に沿ってそれぞれ載置されている。これらの試薬容器２４には、自動分析装置により分析され得る分析項目に対応する試薬液が収容されている。
【００１６】
また、試薬ディスク３の近傍には、検体サンプリング機構５と概ね同様の機構をなす試薬ピペッティング機構９が配置されている。試薬分注時には、これが備えるピペットノズルにより、反応ディスク２上の試薬受け入れ位置に位置付けられる検査項目に応じた試薬容器２４から試薬を吸入し、該当する反応セル１９内へ吐出する。
【００１７】
反応ディスク２、試薬ディスク３および試薬ピペッティング機構９に囲まれる位置には、攪拌機構８が配置されている。反応セル１９内に収容されたサンプルと試薬との混合液は、この攪拌機構８により攪拌されて反応が促進される。
【００１８】
ここで、光源２５は反応ディスク２の中心部付近に、光度計７は反応ディスク２の外周側に配置されており、攪拌を終えた反応セル１９の列は光源２５と光度計７とによって挟まれた測光位置を通るように回転移動する。なお、光源２５と光度計７は光検出系を構成する。光度計７は、透過光または散乱光を検出する多波長光度計である。
【００１９】
各反応セル１９内におけるサンプルと試薬との反応液は、反応ディスク２の回転動作中に光度計７の前を横切る度に測光される。サンプル毎に測定された散乱光のアナログ信号は、Log変換・Ａ／Ｄ変換器１５に入力される。使用済みの反応セル１９は、反応ディスク２の近傍に配置された反応セル洗浄機構６により、内部が洗浄されて繰り返しの使用を可能にする。
【００２０】
次に、図１の自動分析装置における制御系及び信号処理系について簡単に説明する。タッチパネル式のディスプレイ１６は、インターフェイス１３を介して、サンプル分注制御部１０、試薬分注制御部１２、線浄水ポンプ１１に接続されている。タッチパネル式のディスプレイ１６は、サンプル分注制御部１０に対して指令を送り、サンプルの分注動作を制御する。また、タッチパネル式のディスプレイ１６は、試薬分注制御部１２に対して指令を送り、試薬の分注動作を制御する。
【００２１】
タッチパネル式のディスプレイ１６には、印字するためのプリンタ１７、記憶媒体１８が接続されている。記憶媒体１８は、例えばハードディスクメモリまたは外部メモリにより構成される。記憶媒体１８には、各画面の表示レベル、分析パラメータ、分析項目依頼内容、キャリブレーション結果、分析結果等の情報が記憶される。
【００２２】
次に、図１の自動分析装置におけるサンプルの分析動作を説明する。自動分析装置によって分析可能な項目に関する分析パラメータは、予めタッチパネル式のディスプレイ１６等の情報入力装置を介して入力されておリ、記憶媒体１８に記憶されている。操作者は、操作機能画面を用いて各サンプルに依頼されている検査項目を選択する。
【００２３】
この際に、患者ＩＤなどの情報もタッチパネル式のディスプレイ１６から入力される。各サンプルに対して指示された検査項目を分析するために、検体サンプリング機構５のプローブ機構２３は、分析パラメータにしたがって、検体容器２１から反応セル１９へ所定量のサンプルを分注する。
【００２４】
サンプルが分注された反応セル１９は、反応ディスク２の回転によって移送され、試薬受け入れ位置に停止する。試薬ピペッティング機構９のピペットノズルは、該当する検査項目の分析パラメータにしたがって、反応セル１９に所定量の試薬液を分注する。サンプルと試薬の分注順序は、この例とは逆に、サンプルより試薬が先であってもよい。
【００２５】
その後、攪拌機構８により、サンプルと試薬との攪拌が行われ、混合される。この反応セル１９が、測光位置を横切る時、光度計７により反応液の透過光または散乱光が測光される。測光された透過光または散乱光は、Log変換・Ａ／Ｄ変換器１５により光量に比例した数値に変換され、タッチパネル式のディスプレイ１６を経由して、記憶媒体１８に取り込まれる。
【００２６】
この変換された数値を用い、検査項目毎に指定された分析法により予め測定しておいた検量線に基づき、濃度データが算出される。各検査項目の分析結果としての成分濃度データは、プリンタ１７に出力される。
【００２７】
以上の測定動作が実行される前に、操作者は、分析測定に必要な種々のパラメータの設定や試料の登録を、タッチパネル式のディスプレイ１６を介して行う。また、操作者は、測定後の分析結果をタッチパネル式のディスプレイ１６またはプリンタ１７からの印字により確認する。
【００２８】
図２は、本発明に係る要部斜視図であり、操作画面２８を備えたタッチパネル式のディスプレイ１６が、ディスプレイ収容部２６に収容された状態を示した図である。ディスプレイ１６は装置の上部に配置されている。ディスプレイ収容部２６はタッチパネル式のディスプレイ１６を支える部品であり、ディスプレイ１６の外枠となる装置上面カバー２７を支持、固定する。また、タッチパネル式のディスプレイ１６は通常装置内にはめ込む構造になっており、操作画面２８のみ装置外部に露出している構造である。
【００２９】
図３は、本発明に係る要部斜視図であり、ディスプレイ１６がディスプレイ収容部２６から外した状態を示した図である。ディスプレイ１６が取っ手部２９を手前に持ち上げることにより、取っ手部２９と反対側に備えられた設置部支点３０を軸にしてディスプレイ１６がディスプレイ収容部２６から持ち上がり、ディスプレイ１６を装置内から引き出せる構造を示している。また、ディスプレイ１６を引き出せることによりディスプレイ側面３１へのアクセスが可能となる。
【００３０】
図４は、本発明に係る要部側面図であり、ディスプレイ１６の収容時とディスプレイ収容部２６から外した状態を示した図である。ディスプレイ１６の側面には記憶媒体を収納する記憶媒体収納部３２や外部と電気接続するコネクタ接続部３３といった外部アクセス部が設けられ、ディスプレイ１６を持ち上げられる構造としたことにより、この外部アクセス部が外部に露出する。これにより、外部アクセス部へのアクセスが容易になる。
【００３１】
つまり、操作部となるディスプレイの側面に外部アクセス部があるため、この距離が非常に近く、ユーザの外部アクセス部へのアクセス性を向上させることができる。
【００３２】
また、ディスプレイ１６がディスプレイ収容部２６に収容された状態で、側面がこの収容部に覆われていることが望ましい。外部アクセス部への防水効果や防塵効果が期待できるためである。加え、後述するように、収容された状態で、ディスプレイ１６は、水平から一定の角度傾斜した状態とすることが望ましい。装置全体の占有面積を小さくできるためである。
【００３３】
また、この角度を傾斜した状態を保持できる公知の機構を備えることが望ましい。状態を保持できることで、ユーザの見やすい任意の角度で操作を行うこともできるようになる。
【００３４】
また、図で示すように、ディスプレイ収容部は、水平から一定の角度傾斜した面を備え、ディスプレイ１６が収容された状態で、この面とディスプレイ１６表面とで、略同一面を構成することが望ましい。
【００３５】
また、図３、４で示すように、ディスプレイ１６が収容された状態で、ディスプレイの外枠は、ディスプレイ収容部２６の内枠に対し、この外枠が上となって重なることが望ましい。装置内への防水効果や防塵効果が期待できるためである。
【００３６】
また、ディスプレイ収容部からディスプレイが離れたことを検知する検知器をさらに設けることが望ましく、この検知器が離れたことを検知し、記憶媒体の取り出し実行有無の確認画面がディスプレイに表示されることが望ましい。これにより、記憶媒体の取り出し忘れを効果的に防止することができる。
【００３７】
なお、ディスプレイ１６はディスプレイ収容部２６から外せればよく、図３や４で示した外れ方でなくても良い。ただ、図示したように、ディスプレイの取っ手部２９と反対側に支点軸を有することで、ディスプレイを水平から任意の角度となるようにでき、比較的負荷の少なく外すことができ、使い勝手がよくなる。
【００３８】
図５はディスプレイ１６を傾けた形状にすることにより装置の平面積を縮められることをディスプレイ１６の側面から見た効果について示した図である。装置上面カバー２７を固定する部分を傾けたことにより、傾けない場合よりも側面図または上面図に示したような省スペース３４化を実現する構造である。
【符号の説明】
【００３９】
1.  検体容器架設機構
2.  反応ディスク
3.  試薬保冷機構
4.  恒温槽
5.  検体サンプリング機構
6.  反応セル洗浄機構
7.  光度計
8.  攪拌機構
9.  試薬ピペッティング機構
10.  サンプル分注制御部
11.  洗浄水ポンプ
12.  試薬分注制御部
13.  インターフェイス
14.  マイクロコンピュータ
15.  Log変換・A/D変換器
16.  タッチパネル式のディスプレイ
17.  プリンタ
18.  記憶媒体
19.  反応セル
20.  恒温維持装置
21.  検体容器
22.  可動アーム
23.  プローブ機構
24.  試薬容器
25.  光源
26.  ディスプレイ設置部品
27.  タッチパネル式のディスプレイ
28.  操作画面
29.  取っ手部
30.  設置部支点
31.  ディスプレイ側面
32.  記憶媒体収納部
33.  コネクタ接続部
34.  省スペース
【図１】
2014211401.tif 000003
【図２】
2014211401.tif 000004
【図３】
2014211401.tif 000005
【図４】
2014211401.tif 000006
【図５】
2014211401.tif 000007